(57)【要約】【課題】リバーシブルバッグについて、バッグ構造の簡潔性・ファスナ取り付け構造の簡潔性・ファスナ本数の削減・リバーシブル操作性・バッグ正面部とバッグ背面部との一体廉潔性・堅牢で安定性のある物品収納性・物品を包み込むことのできる包被機能・包装製作難易度の緩和低減・簡易な収納操作性の維持・コストダウンをはかる。【解決手段】  両ファスナ２１Ａ・２１Ｂが、入れ物１１の左側面部１４から底面部１７および入れ物１１の右側面部１５から底面部１７にわたり取り付けられている。容器状態の入れ物１１内には、物品出し入れ部１８から物品収納することができ、物品出し入れ部１８から入れ物１１外に物品を取り出すことができる。非容器状を呈しているときの入れ物１１は、両ファスナ２１Ａ・２１Ｂが開放されている。容器状や非容器状を呈しているときの入れ物１１は、表裏を反転させるためのリバーシブル操作が行える。【選択図】図１
2020146295.tif 000002
【特許請求の範囲】
【請求項１】
物品を出し入れすることができる物品出し入れ条件と、物品の収納・物品の携帯・物品の携行・物品の持ち運び・物品の保管・物品の取り出しのうちの一つ以上を行うことができる物品取り扱い条件と、容器状から非容器状に形態変形させたり非容器状から容器状に形態変形させたりすることができる形態変更条件とを満足させるものとして、入れ物を備えていること、および、
容器状を呈しているときの前記入れ物の上面部には、その入れ物の内外に物品を入れたり出したりするための開口された物品出し入れ部があること、および、
前記入れ物を容器状から非容器状に変形させたり前記入れ物を非容器状から容器状に変形させたりするときに操作するためのものとして、一対の開閉自在なファスナを備えていること、および、
前記入れ物と前記一対のファスナとの相対関係において、一方の前記ファスナが前記入れ物における左側面部から底面部にわたって取り付けられ、かつ、他方の前記ファスナが前記入れ物における右側面部から底面部にわたって取り付けられていること、および、
容器状を呈しているときの前記入れ物については、前記物品出し入れ部から当該入れ物の内部に物品を収納することができるとともに、その収納された物品を前記物品出し入れ部から当該入れ物の外部に取り出すことができるものであること、および、
非容器状を呈しているときの前記入れ物については、一対の前記ファスナが開放されていること、および、
容器状を呈しているときの前記入れ物や非容器状を呈しているときの前記入れ物については、その入れ物の表裏を反転させるためのリバーシブル操作が行えるものであること
を特徴とするリバーシブルバッグ。
【請求項２】
前記入れ物が袋状の構造と鞄状の構造とのうちから選択されたいずれかの構造を有する請求項１に記載されたリバーシブルバッグ。
【請求項３】
前記入れ物を構成している材料の一部または全部が、天然皮革と合成皮革とのうちの一つ以上を含むものからなり、かつ、その皮革が単層構造と複層構造とのうちのいずれかの層構造からなる請求項１または請求項２に記載されたリバーシブルバッグ。
【請求項４】
前記入れ物を構成している材料が、折り畳みが可能で物品の包み込みも可能なものなる請求項１または請求項２に記載されたリバーシブルバッグ。
【請求項５】
前記入れ物の上部側には、提げ紐による手提げ部、および／または、手を差し込んで把持することのできる開口された手提げ部、および／または、グリップ型の手提げ部、および／または、肩掛けベルトが設けられている請求項１ないし請求項４のいずれかに記載されたリバーシブルバッグ。
【発明の詳細な説明】
【技術分野】
【０００１】
本発明は小物やその他、各種の物品を入れて持ち運びするためのリバーシブルバッグに関する。本発明についてより詳しくいうと、これはバッグ本来の実用性のみならず、バッグの展開性やリバーシブル性などをも向上させるために改良されたリバーシブルバッグに関する。
【背景技術】
【０００２】
小物などを入れて持ち運びするためバッグについては、トートバッグをはじめとする各種のバッグが数多く提供されている。もちろん、このようなバッグのうちには、バッグを展開状態にしたり反転状態にしたりすることのできるリバーシブルタイプのバッグも含まれる。
【０００３】
上述したリバーシブルバッグの場合、リバーシブル反転による使用面の変更でバッグのイメージを全く別異のものにチェンジすることができる。これは単一のバッグでありながらも二種類のバッグを所有しているのと等価になるのである。ゆえにリバーシブルバッグの場合、この点がユーザーにとっての大きなメリットになる。
【０００４】
上述のようなリバーシブルに属するバッグや鞄については、下記の特許文献１〜３に開示されたものがすでに提供されている。しかしながら、これら文献記載のバッグ類には、下記のような技術的事項が改善の余地として残されている。
【０００５】
はじめに、特許文献１のものについて指摘すると、これはバッグ構成が複雑であるばかりか、リバーシブル化を実現するのに多くのファスナを要するので製作難易度が高く、コストアップも避けられない。
【０００６】
つぎに、特許文献２に開示されたリバーシブルバッグの場合、これはバッグ構造そのものが簡潔であるほか、リバーシブル化を実現するためのファスナが二本だけでよいなど、特許文献１にみられる課題が解消されている。とはいえ特許文献２のものは、二本のファスナの下端部（開放端部）がバッグ両側面の下端部にまで達しておらず、これが原因で両ファスナの全開状態においてバッグ正面部やバッグ背面部を平坦なシート状に展開することができないものとなっている。より具体的に指摘すると、はじめの操作でバッグを大雑把に展開した後、つぎなる操作でバッグの底部両隅などを一々裏返しにしなければならないので、ファスナ全開状態からバッグ展開状態に至るバッグ反転操作を一連の操作で間断なく行うことができない。これはバッグ反転に際して、かかる操作の円滑性を欠くということである。
【０００７】
さらに、特許文献３に開示されたリバーシブルバッグも、バッグ両側面にある両ファスナの下端部がバッグ底面部にまで十分に達していないので、ファスナ全開状態でのバッグ展開操作に円滑性を欠く。すなわち特許文献３のものも、特許文献２のものとほぼ同様、リバーシブル操作をスムーズに行う上で難点がみられるため、この難点を解消するための改良ないし改善が希求されている。
【先行技術文献】
【特許文献】
【０００８】
【特許文献１】特開平０９−１９１９１４号公報
【特許文献２】特開２００４−２５４９４９号公報
【特許文献３】特開２００６−２３９１９８号公報
【発明の概要】
【発明が解決しようとする課題】
【０００９】
本発明は、リバーシブルバッグにみられる上述の課題を解決するためになされたものである。
【００１０】
したがって、本発明の目的の一つは、リバーシブルバッグについて、バッグ構造の簡潔性・ファスナ取り付け構造の簡潔性・ファスナ本数の削減・リバーシブル操作性の向上・バッグ正面部とバッグ背面部との一体廉潔性・堅牢で安定性のある物品収納性などをはかることである。本発明の目的の他の一つは、リバーシブルバッグについて、物品を包み込んだり被ったりすることのできる機能（包被機能）をもたせることである。本発明の目的のさらなる一つは、リバーシブルバッグについて、包装製作難易度の緩和低減・簡易な収納操作性の維持・コストダウンなどを実現することである。
【課題を解決するための手段】
【００１１】
本発明は、所期の目的を達成するための課題解決手段として、下記の第１項ないし第５項に記載された技術的事項を特徴とするものである。
［第１項］
物品を出し入れすることができる物品出し入れ条件と、物品の収納・物品の携帯・物品の携行・物品の持ち運び・物品の保管・物品の取り出しのうちの一つ以上を行うことができる物品取り扱い条件と、容器状から非容器状に形態変形させたり非容器状から容器状に形態変形させたりすることができる形態変更条件とを満足させるものとして、入れ物を備えていること、および、
容器状を呈しているときの前記入れ物の上面部には、その入れ物の内外に物品を入れたり出したりするための開口された物品出し入れ部があること、および、
前記入れ物を容器状から非容器状に変形させたり前記入れ物を非容器状から容器状に変形させたりするときに操作するためのものとして、一対の開閉自在なファスナを備えていること、および、
前記入れ物と前記一対のファスナとの相対関係において、一方の前記ファスナが前記入れ物における左側面部から底面部にわたって取り付けられ、かつ、他方の前記ファスナが前記入れ物における右側面部から底面部にわたって取り付けられていること、および、
容器状を呈しているときの前記入れ物については、前記物品出し入れ部から当該入れ物の内部に物品を収納することができるとともに、その収納された物品を前記物品出し入れ部から当該入れ物の外部に取り出すことができるものであること、および、
非容器状を呈しているときの前記入れ物については、一対の前記ファスナが開放されていること、および、
容器状を呈しているときの前記入れ物や非容器状を呈しているときの前記入れ物については、その入れ物の表裏を反転させるためのリバーシブル操作が行えるものであること
を特徴とするリバーシブルバッグ。
［第２項］
前記入れ物が袋状の構造と鞄状の構造とのうちから選択されたいずれかの構造を有する前記第１項に記載されたリバーシブルバッグ。
［第３項］
前記入れ物を構成している材料の一部または全部が、天然皮革と合成皮革とのうちの一つ以上を含むものからなり、かつ、その皮革が単層構造と複層構造とのうちのいずれかの層構造からなる前記第１項または前記第２項に記載されたリバーシブルバッグ。
［第４項］
前記入れ物を構成している材料が、折り畳みが可能で物品の包み込みも可能なものなる前記第１項または前記第２項に記載されたリバーシブルバッグ。
［第５項］
前記入れ物の上部側には、提げ紐による手提げ部、および／または、手を差し込んで把持することのできる開口された手提げ部、および／または、グリップ型の手提げ部、および／または、肩掛けベルトが設けられている前記第１項ないし前記第４項のいずれかに記載されたリバーシブルバッグ。
【発明の効果】
【００１２】
本発明に係るリバーシブルバッグは下記<01>〜<10>のような効果を有する。
<01>  リバーシブルバッグは袋状や鞄状などで代表される入れ物構造を基本形態としていて、これに一対のファスナが取り付けられたものである。すなわちこれは、リバーシブルバッグといえども、基本的にはファスナ付きの入れ物構造であるから、バッグ構造としての簡潔性が十分に確保されている。
<02>  入れ物の左側面部や底面部に取り付けられる一対のファスナは、自明のとおり、入れ物の正面部や背面部を回避した部位にある。注目度の高いバッグ正面部やバッグ背面部を回避したこのファスナ取り付け部位は、デザイン上などの制約を受けることがほとんどないことから、特段を配慮を要することなく簡単にファスナを取り付けることができ、これによってファスナの取り付け構造も簡潔なものになる。
<03>  ファスナについては、入れ物の左側面部から底面部にわたって取り付けられるものと、入れ物の右側面部から底面部にわたって取り付けられるものとがあればよい。これはファスナが二本あればよいということであるから、たとえば四本以上など多くのファスナを用いていた既成バッグに比し、ファスナ本数が削減できるものとなる。
<04>  バッグのリバーシブル操作はバッグの反転を主体にしたものである。この操作には全く難易度がなく何人も簡単迅速に実施することができる。これはバッグのリバーシブル操作性について、これを簡易性の観点から向上させるものである。
<05>  リバーシブルバッグには、既述のとおり、入れ物の左側面部・右側面部・底面部など所定の部位に二本のファスナが取り付けられる。入れ物には、この二本のファスナを境にして二つの領域（バッグ正面部とバッグ背面部）が生じるものの、バッグ正面部とバッグ背面部との一体連結性は、当該両部にわたる入れ物の底面部で確保される。すなわち、バッグ正面部とバッグ背面部との連結部にも該当する入れ物の底面部によって当該両部が連結されているのであるから、たとえば、両ファスナを開けてバッグ正面部とバッグ背面部とを展開状態にしたとき、当該両部が不本意に分離分散するようなことがなく、また、連結部（底面部）を介してバッグ正面部とバッグ背面部とが繋がっていることにより、全開状態にした後の両ファスナも閉じやすくなる。さらに、バッグ正面部やバッグ背面部の面積が広くてこれらを展開状態にするのが容易であるから、バッグを展開した状態でのリバーシブル操作が行いやすい。
<06>  バッグ正面部とバッグ背面部とが入れ物の底面部（連結部）で連結されているという一体連結性により、バッグ主要部には分離分散することのない構造上の安定性がある。一方でファスナは、これを閉じたときにファスナ効果が生じる。かかるバッグの場合は、入れ物底面部による一体連結性やファスナによるファスナ効果などに依拠して、堅牢で安定性のある物品収納性（物品収納機能）を発揮する。
<07>  入れ物の所定部位にファスナが取り付けられた構成のものであり、かつ、製作が困難な部位を含むものでないから、バッグ製作時の製作難易度が緩和低減される。
<08>  容器状にしたときの入れ物については、バッグとして通常のそれと実質的に変わるところがない。したがって、容器状態にあるときの入れ物は、通常のバッグと同様、簡易な収納操作性の維持している。
<09>  構成材料がたとえば布のような折り畳み可能なものであるとき、シート状に展開したバッグで物品を物品を包み込んだり被ったりすることができる。すなわち、風呂敷のような使用態様をとることもできる。
<10>  バッグの主要な構成要素（構成部品）は入れ物とファスナである。これは部品数や部品種がきわめて少ない。このように主要構成要素の少ないバッグの場合、これを少ない工程数で容易安価に製作することができる。したがって、バッグのコストダウンをはかることができる。
【図面の簡単な説明】
【００１３】
【図１】本発明に係るリバーシブルバッグの一実施形態に関するものであり、かつ、当該リバーシブルバッグについて、リバーシブル操作前・リバーシブル操作途中・リバーシブル操作後の各状態を示した斜視図と、ファスナのテープおよびスライダを示した正面図である。
【図２】本発明に係るリバーシブルバッグの他実施形態に関するものであり、かつ、当該リバーシブルバッグについて、リバーシブル操作前・リバーシブル操作途中・リバーシブル操作後の各状態を示した斜視図である。
【発明を実施するための形態】
【００１４】
本発明に係るリバーシブルバッグの実施形態について、添付図面を参照して以下説明する。それは、図１に例示されたリバーシブルバッグをはじめに説明し、そのあとで図２に例示されたリバーシブルバッグを説明するというものである。
【００１５】
図１に例示されたリバーシブルバッグにおいて、１１は入れ物、２１Ａ・２１Ｂは一対のファスナ・３１Ａ・３１Ｂは手提げ部をそれぞれ示す。ちなみに、「ファスナ」については、「ファスナー」のように称されることがある。「ファスナ」については、さらに、「ジッパー」や「チャック」のように称されることもある。
【００１６】
図１に例示された入れ物１１は、物品を出し入れすることができる物品出し入れ条件を満足させる構造のものである。より具体的にいうと、その物品出し入れ条件は、物品の収納・物品の携帯・物品の携行・物品の持ち運び・物品の保管・物品の取り出しのうちの一つ以上を行うことができるというものである。ちなみに図１に例示された入れ物１１の場合、物品の収納・物品の携帯・物品の携行・物品の持ち運び・物品の保管・物品の取り出しのすべてを行うことができる構造を有している。図１に例示された入れ物１１の構成材料や詳細構造は以下のようなものである。
【００１７】
入れ物１１は、布製・不織布製・合成樹脂製・天然皮革製・合成皮革製・軟質または硬質のボード製・強化紙製などの任意材料（周知材料）を主体にして構成されたり、これらのうちの複数材料からなる複合材料（周知材料）を主体にして構成されたりする。入れ物１１は、その材料材質いかんで、縫製加工および／または接着加工および／またはプレス加工されるものである。もちろんこの際の材料については、所定の形状に裁断加工されたりトリミングされたりする。入れ物１１の縁部分などについては、必要に応じて縁縫い・かがり縫い・ステッチなどのいずれかが施されたり、適当な手段で補強されたりする。
【００１８】
図１の入れ物１１が同図（Ａ）のような容器状を呈しているとき、この入れ物１１は、正面部１２・背面部１３・左右両側面部１４・１５・上面部１６・底面部１７などの六面部を有する立体形状（袋状の容器形態）をなしている。これらのうちで、入れ物１１の上面部１６は、開口（開放）された物品出し入れ部１８となっており、正面部１２・背面部１３・左右両側面部１４・１５・底面部１７などは、閉鎖された面または開閉自在な面のいずれかからなる。ちなみに、入れ物１１の正面部１２と背面部１３は閉鎖面からなり、入れ物１１の左右両側面部１４・１５は開閉自在な面からなる。この左右両側面部１４・１５には襠の機能もある。一方で入れ物１１の底面部１７は、その一部が開閉自在な面からなり、残部が開閉できない非開閉面（閉鎖面）で構成されている。さらに、底面部１７で非開閉面となっている部分は、入れ物１１の正面側と背面側とを一体に連結している連結部１９でもある。
【００１９】
図１の入れ物１１については、左側面部１４から底面部１７にわたって一方のファスナ２１Ａが取り付けられているとともに右側面部１５から底面部１７にわたって他方のファスナ２１Ｂが取り付けられている。この場合の両ファスナ２１Ａ・２１Ｂは、公知ないし周知のように、テープ２２とスライダ（スライダーとも称される）２４とで構成されている。その詳細は以下のようなものである。
【００２０】
両ファスナ２１Ａ・２１Ｂについて、それぞれのテープ２２における中央部には一対のエレメント（務歯）２３が設けられている。両ファスナ２１Ａ・２１Ｂは、スライダ２４をスライド操作（開閉操作）することで一対のエレメント２３の頭部が噛み合わされたりその噛み合わせが解除されたりするものである。よって両ファスナ２１Ａ・２１Ｂは、これらの操作を介して開閉される。両ファスナ２１Ａ・２１Ｂのスライダ２４は、胴体２５と柱２６と引き手２７とからなる。このうちでスライド操作自在な胴体２５は、エレメント２３相互を閉じたり開いたりするためのものである。また、アーチ形で環状なす柱２６の場合は、引き手２７を胴体２５に取り付けるために胴体２５の上面に一体形成されている。柱２６に連結された引き手２７は、スライダ２４を操作するときにここを把持するものである。典型的な両ファスナ２１Ａ・２１Ｂの場合、テープ２２を除く部分（エレメント２３やスライダ２４）が金属製であったり、テープ２２が布製や合成樹脂製であったりするが、これ以外に、エレメント２３やスライダ２４が合成樹脂製のものものがある。入れ物１１の所定部に両ファスナ２１Ａ・２１Ｂを取り付けるための代表的一例は、手縫いまたは機械縫いによる縫い付けであるが、入れ物１１やテープ２２の材質いかんでは、接着や溶着なども採用することができる。
【００２１】
図１の実施形態においては、典型的な例として、提げ紐による手提げ部３１Ａと開口された手提げ部３１Ｂとが入れ物１１の上部側に設けられている。より具体的にいうと、両手提げ部３１Ａ・３１Ｂが、入れ物１１における正面部１２の上部側と背面部１３の上部側に設けられている。このような手提げ部３１Ａ・３１Ｂは、そのいずれか一方だけでもかまわない。手提げ部３１Ａ・３１Ｂがグリップ型のものであってもよい。さらに、入れ物１１の上部側には、手提げ部３１Ａおよび／または３１Ｂと共に、あるいは、両手提げ部３１Ａ・３１Ｂに代えて、周知の肩掛けベルトが設けられることがある。もちろん入れ物１１については、手提げ部３１Ａ・３１Ｂや肩掛けベルトのないものある。
【００２２】
図１の入れ物１１が同図（Ｂ）のような非容器状を呈しているとき、すなわち、両ファスナ２１Ａ・２１Ｂが開放されて入れ物１１が展開された状態にあるとき、その展開状態にある入れ物１１を図１（Ｃ）のようなリバーシブル状態（表裏反転状態）にすることが容易に行える。その理由は、表裏反転後の入れ物１１について単純に両ファスナ２１Ａ・２１Ｂを閉じればよく、それだけの操作で済むからである。
【００２３】
本発明の一実施形態として図１に例示されたリバーシブルバッグの本体、すなわち、袋状の入れ物１１は、上記した説明内容から理解できるように、図１（Ａ）→図１（Ｂ）→図１（Ｃ）のような手順でリバーシブル操作したり、または、図１（Ｃ）→図１（Ｂ）→図１（Ａ）のような手順でリバーシブル操作したりすることで、バッグを可逆的に反転させるものである。また、図１（Ｂ）のような展開状態（シート展開状態）にあるものは、これで物品を包み込むこともできる。
【００２４】
本発明の他の一実施形態として例示されている図２のリバーシブルバッグも、物品の収納・物品の携帯・物品の携行・物品の持ち運び・物品の保管・物品の取り出しのうちの一つ以上または全部を行うことができる物品取り扱い条件を満足させる構造のものである。より具体的にいうと、図２のリバーシブルバッグでその本体をなす入れ物１１は、正面部１２・背面部１３・左右両側面部１４・１５・上面部１６・底面部１７などの六面部を有する立体形状のものであるが、その容器形態は、前例の袋状とは異なり、直方体型の鞄状をなしている。
【００２５】
図２の入れ物１１における上面部１６には、開閉自在な面による物品出し入れ部１８がある。図２の入れ物１１で正面部１２や背面部１３は閉鎖された非開閉面からなる。図２の入れ物１１で左右両側面部１４・１５も開閉自在な面からなる。図２の入れ物１１で底面部１７の場合は、一部が開閉自在な面からなり、残部が閉鎖された非開閉面からなる。図２の入れ物１１において、開閉自在な各面部の開閉自在型の構成は、前例と同じく一対のファスナ２１Ａ・２１Ｂによるものである。その典型的な一例は以下に説明するとおりである。
【００２６】
図２の入れ物１１において、一方のファスナ２１Ａは、上面部１６から左側面部１４を経由して底面部１７にわたるという態様で取り付けられている。図２の入れ物１１で他方のファスナ２１Ｂは、上面部１６から右側面部１５を経由して底面部１７にわたるという態様で取り付けられている。図２の入れ物１１でも、底面部１７で非開閉面となっている部分は、入れ物１１の正面側と背面側とを一体に連結している連結部１９である。
【００２７】
図２の入れ物１１の上部には、前述した手提げ部が設けられていない。しかし、図２の入れ物１１の上部にも、前例で述べたような手提げ部が設けられることもある。
【００２８】
図２の入れ物１１におけるその他の構成や材料などは、図１の入れ物１１で説明した事項と実質的に同一かそれに準ずるものである。したがって、図２の入れ物１１で説明を省略した事項については、すべて図１の前例で述べた事項を参照することとし、それによって理解を得る。
【００２９】
本発明の他実施形態として図２に例示されたリバーシブルバッグの本体、すなわち、鞄状の入れ物１１も既述の説明で理解できるように、図２（Ａ）→図２（Ｂ）→図２（Ｃ）のような手順でリバーシブル操作したり、または、図２（Ｃ）→図２（Ｂ）→図２（Ａ）のような手順でリバーシブル操作したりすることで、バッグを可逆的に反転させるものである。
【産業上の利用可能性】
【００３０】
本発明に係るリバーシブルバッグは簡潔な構成・簡易なリバーシブル操作性・コストダウン・その他の特徴効果を有していて実用上の利便性に優れ、かつ、実施の容易なものである。よって本発明に係るリバーシブルバッグは産業上の利用可能性が高い。
【符号の説明】
【００３１】
１１    入れ物
１２    入れ物の正面部
１３    入れ物の背面部
１４    入れ物の左側面部
１５    入れ物の右側面部
１６    入れ物の上面部
１７    入れ物の底面部
１８    入れ物の物品出し入れ部
１９    入れ物の連結部
２１Ａ  ファスナ
２１Ｂ  ファスナ
２２    ファスナのテープ
２３    ファスナのエレメント
２４    ファスナのスライダ
２５    スライダの胴体
２６    スライダの柱
２７    スライダの引き手
３１Ａ  手提げ部
３１Ｂ  手提げ部
【図１】
2020146295.tif 000003
【図２】
2020146295.tif 000004